(57)【要約】  【課題】  筐体本体の組立てに要するねじ部材を少なくし、また、金型製作工数を減少する。  【解決手段】  フロントカバー１の裏面に、台座リブ５と位置決め用突起部７とコネクタ位置決め部と圧入ボス部１１、１２とねじボス部８Ａ、８Ｂとを設け、リアカバー２の裏面に、押えリブ２２、２３と圧入ピン部２４、２５とを設け、位置決め用孔部３１に位置決め用突起部７を係合し且つコネクタ位置決め部で外部接続コネクタＣを位置決めすることでプリント基板３を位置決めし、圧入ピン部２４、２５を圧入ボス部１１、１２に圧入して台座リブ５と押えリブ２２、２３とでプリント基板３を保持し、共締め用ねじ部材３５をリアカバー２のねじ挿入孔１８からねじボス部８Ａに螺合してフロントカバー１に対してリアカバー２とプリント基板３とを共締めするようにした。【選択図】  図３
2005203698.tif 000002
【特許請求の範囲】
【請求項１】
フロントカバーとリアカバーとから構成される筐体本体を有し、この筐体本体内にプリント基板を収容固定するようにした電気機器の筐体構造であって、
前記フロントカバーの裏面に、フロントカバー側プリント基板保持部と、プリント基板位置決め部と、圧入ボス部と、プリント基板共締め用ボス部とを設け、
前記リアカバーの裏面に、このリアカバーの前記フロントカバーへの組立て時に、前記フロントカバー側プリント基板保持部と共に前記プリント基板を保持するリアカバー側プリント基板保持部と、前記圧入ボス部に圧入される圧入ピン部とを設け、
前記プリント基板位置決め部で前記プリント基板を位置決めし、前記圧入ピン部を前記圧入ボス部に圧入して前記フロントカバー側プリント基板保持部と前記リアカバー側プリント基板保持部とで前記プリント基板を保持し、共締め用ねじ部材を前記リアカバー及び前記プリント基板を貫通させて前記プリント基板共締め用ボス部に螺合して前記フロントカバーに対して前記リアカバーと前記プリント基板とを共締めするようにしたことを特徴とする電気機器の筐体構造。
【請求項２】
前記フロントカバー側プリント基板保持部は、前記フロントカバーの裏面に設けられ且つ前記プリント基板の縁部を受ける台座リブで構成してあり、前記リアカバー側プリント基板保持部は、前記リアカバーの裏面に設けられ且つ前記プリント基板の縁部を押える押えリブで構成してあり、前記プリント基板共締め用ボス部はねじ孔を有するねじボス部で構成してあり、前記リアカバーには共締め用ねじ挿入孔が形成してあり、前記プリント基板には固定用孔部が形成してあって、
前記リアカバーの前記フロントカバーへの組立て時に、前記台座リブと前記押えリブとで前記プリント基板を保持し、前記共締め用ねじ部材を、前記共締め用ねじ挿入孔から前記固定用孔部に挿入し前記ねじボス部のねじ孔に螺合することで、前記フロントカバーに対して前記リアカバーと前記プリント基板とを共締めするようにしたことを特徴とする請求項１に記載の電気機器の筐体構造。
【請求項３】
前記プリント基板位置決め部は、前記フロントカバーの裏面に、前記プリント基板に設けた位置決め用孔部に挿入される位置決め用突起部と、前記プリント基板に実装された外部接続コネクタを位置決めするコネクタ位置決め部とを設けて構成してあることを特徴とする請求項１又は請求項２に記載の電気機器の筐体構造。
【請求項４】
前記圧入ボス部に、前記圧入ピン部が圧入する圧入穴を設けて、この圧入穴と前記圧入ピン部とで、この圧入ピン部を塑性変形させながら圧入する際の逃がし代を確保するスペースを形成すようにしたことを特徴とする請求項１乃至請求項３のいずれかの一に記載の電気機器の筐体構造。
【請求項５】
前記圧入ボス部に、前記圧入穴とこの圧入穴と同心のボス側誘込み部とを形成し、前記圧入ピン部に切欠き部とピン側誘込み部とを形成して、前記スペースを前記切欠き部と前記圧入穴とで囲まれた空間で形成し、
前記ピン側誘込み部が前記ボス側誘込み部に案内されて前記ピン部が前記圧入穴に圧入された状態では、前記ピン部の外形部分が圧入により塑性変形して前記空間に広がるようにしたことを特徴とする請求項４に記載の電気機器の筐体構造。
【発明の詳細な説明】
【技術分野】
【０００１】
本発明は、情報通信を行う電気機器、その他の電気機器の筐体構造に関するものである。
【背景技術】
【０００２】
従来の電気機器の筐体構造としては、電気機器におけるメインシャーシにカバーを取り付けて筐体本体を構成するようにした電気機器の筐体構造において、メインシャーシは左右前後に壁部を有しており、上カバーをメインシャーシに上側から被せてビス止めすると共に、下カバーをメインシャーシの下側から被せてビス止めするようにし、内部に配設するプリント基板等が露出せずに外観が良好であって縦型としても使用することができるものがある（例えば特許文献１）。
【０００３】
しかし、特許文献１に記載された電気機器の筐体構造にあっては、上カバーをメインシャーシに上側から被せてビス止めすると共に、下カバーをメインシャーシの下側から被せてビス止めするようにしてあって、筐体本体の組立てにビス（ねじ部材）が多く必要になるという問題点があった。
【０００４】
かかる問題点を改善したものとして、図１０に示す電気機器装置としての通信機器の筐体構造がある。この筐体構造は、フロントカバー４０とリアカバー５０とから構成してあり、フロントカバー４０の周部４１の上側部位４１Ａには抜き穴４２が左右に設けてあり、また、フロントカバー４０の裏面の下部にはリアカバー固定用ボス部４３が左右に設けてある。
【０００５】
また、リアカバー５０の周部５１の上側部位５１Ａには鈎爪部５２が左右に設けてあり、また、リアカバー５０の面部の下部には固定用孔５３が左右に設けてある。
【０００６】
そして、フロントカバー４０の内側のプリント基板搭載部４４にプリント基板６０をねじ部材４５で固着した後に、リアカバー５０の鈎爪部５２をフロントカバー４０の抜き穴４２に引掛け、締結用ねじ部材４６を固定用孔５３に挿入してリアカバー固定用ボス部４３に螺合することで、フロントカバー４０にリアカバー５０を取付けて筐体構造を組立てていた。
【特許文献１】特許公開２０００−１７４４７７号公報
【発明の開示】
【発明が解決しようとする課題】
【０００７】
しかしながら、上記した従来の電気機器の筐体構造にあっては、ねじ部材４５、４６による締結部が多いために、組立て作業工数が多い上に、位置決め構造を別途設ける必要があったし、また、フロントカバー４０の周部４１に抜き穴４２を設け、また、リアカバー５０の周部５１に鈎爪部５２を設けるには、金型にスライドコアを形成する必要があるために、金型製作工数が増大し複雑化する上に、複数個取りが難しくなるため、成形効率が良くないという問題点があった。
【０００８】
本発明は、上記した従来の問題点を解決するためになされたものであって、その目的とするところは、筐体本体の組立てに要するねじ部材を少なくすることができるばかりか、金型にスライドコアを形成する必要がなく、金型製作工数が減少し簡単化する上に、複数個取りが容易になって、成形効率が良くなる電気機器の筐体構造を提供することである。
【課題を解決するための手段】
【０００９】
上記の目的を達成するために、本発明に係る電気機器の筐体構造は、フロントカバーとリアカバーとから構成される筐体本体を有し、この筐体本体内にプリント基板を収容固定するようにした電気機器の筐体構造であって、フロントカバーの裏面に、フロントカバー側プリント基板保持部と、プリント基板位置決め部と、圧入ボス部と、プリント基板共締め用ボス部とを設け、リアカバーの裏面に、このリアカバーのフロントカバーへの組立て時に、フロントカバー側プリント基板保持部と共にプリント基板を保持するリアカバー側プリント基板保持部を設けると共に、圧入ボス部に圧入される圧入ピン部を設け、プリント基板位置決め部でプリント基板を位置決めし、圧入ピン部を圧入ボス部に圧入してフロントカバー側プリント基板保持部とリアカバー側プリント基板保持部とでプリント基板を保持し、共締め用ねじ部材をリアカバー及びプリント基板を貫通させてプリント基板共締め用ボス部に螺合してフロントカバーに対してリアカバーとプリント基板とを共締めするようにしたものである。
【００１０】
かかる構成により、フロントカバーに対してリアカバーとプリント基板とを共締めすることで、筐体本体を組み立てることができる。
【００１１】
このために、プリント基板を固定するための固定ねじ部材を少なくすることができて、筐体本体の組立てに要するねじ部材を少なくすることができる。また、フロントカバーとリアカバーとを結合するための抜き穴や鈎爪部がなくなって、金型にスライドコアを形成する必要がなくなるために、金型製作工数が減少し簡単化する上に、複数個取りが容易になって、成形効率が良くなる。
【００１２】
また、本発明に係る電気機器の筐体構造は、上記した本発明に係る電気機器の筐体構造において、フロントカバー側プリント基板保持部は、フロントカバーの裏面に設けられ且つプリント基板の縁部を受ける台座リブで構成してあり、リアカバー側プリント基板保持部は、リアカバーの裏面に設けられ且つプリント基板の縁部を押える押えリブで構成してあり、プリント基板共締め用ボス部はねじ孔を有するねじボス部で構成してあり、リアカバーには共締め用ねじ挿入孔が形成してあり、プリント基板には固定用孔部が形成してあって、リアカバーのフロントカバーへの組立て時に、台座リブと押えリブとでプリント基板を保持し、共締め用ねじ部材を、共締め用ねじ挿入孔から固定用孔部に挿入し、ねじボス部のねじ孔に螺合することで、フロントカバーに対してリアカバーとプリント基板とを共締めするようにしたものである。
【００１３】
かかる構成により、フロントカバーに対してリアカバーとプリント基板とを共締めすることで、筐体本体を組み立てることができる。
【００１４】
このために、プリント基板を固定するためのねじ部材を少なくすることができて、筐体本体の組立てに要するねじ部材を少なくすることができる。また、フロントカバーとリアカバーとを結合するための抜き穴や鈎爪部がなくなって、金型にスライドコアを形成する必要がなくなるために、金型製作工数が減少し簡単化する上に、複数個取りが容易になって、成形効率が良くなる。
【００１５】
また、本発明に係る電気機器の筐体構造は、上記した本発明に係る電気機器の筐体構造において、プリント基板位置決め部は、フロントカバーの裏面に、プリント基板に設けた位置決め用孔部に係合される位置決め用突起部と、プリント基板に実装された外部接続コネクタを位置決めするコネクタ位置決め部とを設けて構成してある。
【００１６】
かかる構成により、位置決め用突起部に位置決め用孔部を係合し、コネクタ位置決め部に外部接続コネクタを位置決めすることにより、ねじ部材を用いることなく、プリント基板をフロントカバーに位置決めすることができる。このために、筐体本体の組立てに要するねじ部材を少なくすることができる。
【００１７】
また、本発明に係る電気機器の筐体構造は、上記した本発明に係る電気機器の筐体構造において、圧入ボス部に、圧入ピン部が圧入する圧入穴を設けて、この圧入穴と圧入ピン部とで、この圧入ピン部を塑性変形させながら圧入する際の逃がし代を確保するスペースを形成すようにした。
【００１８】
かかる構成により、圧入前では、圧入ピン部の外形部分が圧入穴よりはみ出しているが、これらの外形部分が圧入により塑性変形して、圧入後はスペースに広がるようになる。このように、圧入ピン部を塑性変形させながら圧入する際の逃がし代を確保することにより、圧入抵抗が小さくなるために、治具、工具等を使用することなく容易に圧入することが可能になる。また、同時に、ピン外形寸法のバラツキに対し、安定した圧入力で締結することが可能となる。
【００１９】
また、本発明に係る電気機器の筐体構造は、上記した本発明に係る電気機器の筐体構造において、圧入ボス部に、圧入穴とこの圧入穴と同心のボス側誘込み部を形成し、圧入ピン部に切欠き部とピン側誘込み部とを形成して、スペースを切欠き部と圧入穴とで囲まれた空間で形成し、ピン側誘込み部がボス側誘込み部に案内されてピン部が圧入穴に圧入された状態では、ピン部の外形部分が圧入により塑性変形して空間に広がるようにしたものである。
【００２０】
かかる構成により、圧入ピン部のピン側誘込み部が圧入ボス部のボス側誘込み部に案内されて、圧入ピン部が圧入穴に圧入される。そして、この場合の圧入穴に対する圧入ピン部の相対関係は、圧入前では、圧入ピン部の外形部分が圧入穴よりはみ出しているが、これらの外形部分が圧入により塑性変形して、圧入後は切欠き部と圧入穴とが成す空間に広がる。
【００２１】
このように、圧入ピン部を塑性変形させながら圧入する際の逃がし代を確保することにより、圧入抵抗が小さくなるために、治具、工具等を使用すること無く容易に圧入することが可能となる。また、同時に、ピン外形寸法のバラツキに対し、安定した圧入力にて締結することが可能となる。
【発明の効果】
【００２２】
本発明に係る電気機器の筐体構造によれば、フロントカバーに対してリアカバーとプリント基板とを共締めするために、プリント基板を固定するための固定ねじ部材を少なくすることができて、筐体本体の組立てに要するねじ部材を少なくすることができるし、また、フロントカバーとリアカバーとを結合するための抜き穴や鈎爪部がなくなって、金型にスライドコアを形成する必要がなくなるために、金型製作工数が減少し簡単化する上に、複数個取りが容易になって、成形効率が良くなる。
【００２３】
また、本発明に係る電気機器の筐体構造によれば、圧入ピン部を塑性変形させながら圧入する際の逃がし代を確保することにより、圧入抵抗が小さくなるために、治具、工具等を使用すること無く容易に圧入することが可能となる。また、同時に、ピン外形寸法のバラツキに対し、安定した圧入力にて締結することが可能となる。
【発明を実施するための最良の形態】
【００２４】
以下、本発明の実施の形態を図１乃至図９を参照して詳述する。
【００２５】
図１は本発明に係る筐体構造を備えた電気機器の前面側から見た斜視図、図２は同電気機器の後面側から見た斜視図、図３は同電気機器の後面側から見た分解状態の斜視図である。なお、図面において、前後方向、左右方向及び上下方向を図示のように設定する。
【００２６】
電気機器としての通信機器は、図１乃至図３に示すように、筐体本体Ａと、この筐体本体Ａ内に収容されたプリント基板３とを備えており、筐体本体Ａは、その下部に直立設置用の脚部Ａ−１を、その正面側中央部に照光レンズ部Ｂを、また、その右側面部に外部接続コネクタＣをそれぞれ有している。
【００２７】
そして、筐体本体Ａはフロントカバー１とリアカバー２とから構成してある。フロントカバー１は、面部１ａと、左、右側部１ｂ、１ｃと、上側部１ｄと、下部のフロントカバー側脚部１ｅとを有しており、また、左、右側部１ｂ、１ｃと上側部１ｄとフロントカバー側脚部１ｅとはフロントカバー１の周部１Ａを形成している。
【００２８】
そして、右側部１ｃの下部には半円形状のコネクタ表出部１Ｂが形成してあり、また、図３に示すように、周部１Ａには嵌込み用リブ１Ｃが後方に突出させて形成してあり、嵌込み用リブ１Ｃはコネクタ表出部１Ｂの部分で切除してある。
【００２９】
フロントカバー１の面部１ａの中央部には照光レンズ用窓部４が開口しており、また、フロントカバー側脚部１ｅの中央部には下方に開口した窓部１Ｄが形成してあり、この窓部１Ｄの奥側には、図５に示すように、ブロック状のねじ孔形成部１Ｅが嵌込み用リブ１Ｃよりさらに後方に突出させて形成してあり、このねじ孔形成部１Ｅにはねじ孔１ｆが形成してある。
【００３０】
フロントカバー１の面部１ａの裏側（裏面）には、プリント基板３の縁部を受けるフロントカバー側プリント基板保持部である台座リブ５が固着してある。この台座リブ５は、逆コ字形状（図３及び図４ではコ字形状）をなしていて、上、下側部位５ａ、５ｂと、これらの上、下側部位５ａ、５ｂの左端部を繋ぐ左側部位５ｃとで構成してあって、この台座リブ５は、その上、下側部位５ａ、５ｂが照光レンズ用窓部４の上、下方に位置するようにして配置してあり、上、下側部位５ａ、５ｂのそれぞれの右端部は、フロントカバー１の右側部１ｃの内面に達しており、また、台座リブ５の外面部には複数の補助リブ６が所定の間隔をおいて形成してある。
【００３１】
フロントカバー１の面部１ａの裏側には、照光レンズ用窓部４の右方に位置させて台座を兼ねたコネクタ位置決め部である位置決め用突起部７が、また、右側部１ｃの内面側に近接させてプリント基板共締め用ボス部であるねじボス部８Ａが、また、図５に示すように、左側部１ｂの下部の角部に近接させてプリント基板共締め用ボス部であるねじボス部８Ｂが、さらには、図４に示すように、コネクタ表出部１Ｂに近接させてコネクタ位置決め部である外部接続コネクタ用挿抜補強リブ９がそれぞれ突設してある。ねじボス部８Ａ、８Ｂにはそれぞれにねじ孔８ａが形成してある。
【００３２】
また、フロントカバー１の面部１ａの裏側には台座リブ５の上側部位５ａの上方に位置させて、台座１０と、この台座１０を挟んだ左右に位置させて圧入ボス部１１、１２がそれぞれ突設してある。これらの圧入ボス部１１、１２には、図７に示すように、円形状の圧入穴１３とこの圧入穴１３と同心のボス側誘込み部１４とが形成してある。
【００３３】
また、リアカバー２は、図２及び図３に示すように、面部２ａと、左、右側部２ｂ、２ｃと、上側部２ｄと、下部のリアカバー側脚部２ｅとを有しており、また、左、右側部２ｂ、２ｃと上側部２ｄとリアカバー側脚部２ｅとはリアカバー２の周部２Ａを形成している。
【００３４】
そして、右側部２ｃの下部には半円形状のコネクタ表出部２Ｂが形成してあり、また、リアカバー側脚部２ｅの中央部には、図６に示すように、下方に開口した窓部２Ｄが形成してあり、この窓部２Ｄの後側には、図３に示すように、プレート状の挿入孔形成部２Ｅが形成してあり、この挿入孔形成部２Ｅには挿入孔２ｆが形成してある。
【００３５】
また、リアカバー２の面部２ａには、図３に示すように、その表側に上下方向に沿う隆起部１５が形成してあり、この隆起部１５の上端側には逆Ｕ字形状の壁掛け設置用の引掛け部１６が形成してある。
【００３６】
また、リアカバー２の面部２ａには、左右の盗難防止用のねじ挿入孔１７、１８が設けてあり、また、リアカバー２の面部２ａの裏側には、図６に示すように、ねじ挿入孔１７、１８を中心に有するボス１９、２０が突設してある。なお、ねじ挿入孔１８は共締め用ねじ挿入孔である。
【００３７】
また、リアカバー２の面部２ａの裏側には、図６に示すように、ほぼ中央で右寄りの位置にプリント基板３を押えるための押え部２１が、また、この押え部２１を挟んだ上下に、プリント基板３の縁部を押えるためのリアカバー側プリント基板保持部である押えリブ２２、２３が形成してあり、押えリブ２２、２３は、それぞれに切除部２２ａ、２３ａが設けてある。
【００３８】
また、リアカバー２の面部２ａの裏側には、その上部の左右に位置させて圧入ピン部２４、２５が突設してある。これらの圧入ピン部２４、２５は、図７に示すように、その周部に互いに対向する切欠き部である平坦面部２６が形成してあって、二面取り形状にしてあり、また、圧入ピン部２４、２５の先端部は円弧状のピン側誘込み部２７にしてある。
【００３９】
プリント基板３は長方形状であって、図４に示すように、その面部には、ねじボス部８Ａに対応する固定用孔部３０と、位置決め用突起部７に対応する位置決め用孔部３１とが形成してあり、また、プリント基板３の前側の実装面には右下に位置させて外部接続コネクタＣが実装してある。この外部接続コネクタＣには係合溝部３２が形成してある。
【００４０】
次に、電気機器装置の筐体構造の組立てを説明する。
【００４１】
まず、図４に示すように、フロントカバー１に設けた照光レンズ用窓部４に、このフロントカバー１の裏側から照光レンズ３４を挿入する。
【００４２】
次に、フロントカバー１にプリント基板３を搭載する。すなわち、プリント基板３を補助リブ６をガイドにしてフロントカバー１の裏側に位置させて、このプリント基板３の位置決め用孔部３１を位置決め用突起部７に係合させ、さらにプリント基板３に実装されている外部接続コネクタＣの係合溝３２に外部接続コネクタ補強リブ９を係合してプリント基板３の位置決めを行うと共に、外部接続コネクタＣを、その挿抜に対して補強した状態にする。この場合、固定用孔部３０がねじボス部８Ａに対向するようになる。
【００４３】
次に、フロントカバー１の周部１Ａの嵌込み用リブ１Ｃにリアカバー２の周部２Ａを嵌めて、フロントカバー１の圧入ボス部１１、１２にリアカバー２の圧入ピン部２４、２５を圧入する。
【００４４】
この場合、図７に示すように、圧入ボス部１１、１２には圧入穴１３とこの圧入穴１３と同心のボス側誘込み部１４とが形成してあり、圧入ピン部２４、２５には、二面取り形状の平坦面部２６と円弧状のピン側誘込み部２７とが形成してあるために、ピン側誘込み部２７がボス側誘込み部１４に案内されて、圧入ピン部２４、２５が圧入穴１３に圧入される。
【００４５】
そして、この場合の圧入穴１３に対する圧入ピン部２４、２５の相対関係は、圧入前では、図８に示すように、圧入ピン部２４、２５の外形部分２４ａ、２５ａが圧入穴１３よりはみ出しているが、図９に示すように、これらの外形部分２４ａ、２５ａが圧入により塑性変形して、圧入後は切欠き部２６と圧入穴１３とで囲まれた空間であるスペースＳに広がるために圧入抵抗は小さくなり、治具を必要としない上、ピン部２４、２５の外形寸法に多少のバラツキが生じても、圧入抵抗には大きく影響しないようになる。
【００４６】
フロントカバー１の圧入ボス部１１、１２にリアカバー２の圧入ピン部２４、２５を圧入した状態では、リアカバー２のボス部１９がプリント基板３の固定用孔部３０に対向し、ボス部２０がねじボス部８Ｂに対向する。また、コネクタ表出部２Ｂがコネクタ表出部１Ｂに合致して外部コネクタＣを表出させる。また、フロントカバー側脚部１ｅの後方に突出するブロック状のねじ孔形成部１Ｅがリアカバー側脚部２ｅの窓部２Ｄに嵌合される。また、台座１０が隆起部１５の上端側の引掛け部１６に当接する。
【００４７】
次に、図３に示すように、共締め用ねじ部材３５をリアカバー２のねじ挿入孔１８から固定用孔部３０に挿入した後、ねじボス部８Ａのねじ孔８ａに螺合してフロントカバー１に対してリアカバー２とプリント基板３とを共締めし、ねじ部材３６をねじ挿入孔１７からねじボス部８Ｂのねじ孔８ａに螺合して、リアカバー２をフロントカバー１に固定する。この場合、リアカバー２のリアカバー側脚部２ｅがフロントカバー１のフロントカバー脚部１ｅに合致して、これらで脚部Ａ−１が形成されて筐体本体Ａの組立てが完了する。
【００４８】
この場合、リアケース２に設けた押えリブ２２、２３がプリント基板３の縁部を押え、押え部２１がプリント基板３の位置決め用孔部３１の周囲を押える。このために、プリント基板３全体を強固に固定することができる。
【００４９】
上記した本発明の実施の形態によれば、フロントカバー１に対してリアカバー２とプリント基板３とを共締めするために、プリント基板３を固定するための固定ねじ部材を少なくすることができて、筐体本体の組立てに要するねじ部材を少なくすることができるし、また、フロントカバー１とリアカバー２とを結合するための抜き穴や鈎爪部がなくなって、金型にスライドコアを形成する必要がなくなるために、金型製作工数が減少し簡単化する上に、複数個取りが容易になって、成形効率が良くなる。
【００５０】
また、圧入ピン部２４、２５を塑性変形させながら圧入する際の逃がし代を確保することにより、圧入抵抗が小さくなるために、治具、工具等を使用すること無く容易に圧入することが可能となる。また、同時に、ピン外形寸法のバラツキに対し、安定した圧入力にて締結することが可能となる。
【産業上の利用可能性】
【００５１】
本発明に係る電気機器の筐体構造は、プリント基板を固定するためのねじ部材を少なくすることができて、筐体本体の組立てに要するねじ部材を少なくすることができるし、また、フロントカバーとリアカバーとを結合するための抜き穴や鈎爪部がなくなって、金型にスライドコアを形成する必要がなくなるために、金型製作工数が減少し簡単化する上に、複数個取りが容易になって、成形効率が良くなるという効果を有し、情報通信を行う電気機器装置、その他の電気機器装置の筐体構造等として有用である。
【図面の簡単な説明】
【００５２】
【図１】本発明に係る筐体構造を備えた電気機器の前面側から見た斜視図である。
【図２】同電気機器の後面側から見た斜視図である。
【図３】同電気機器の後面側から見た分解状態の斜視図である。
【図４】同電気機器におけるフロントカバーからプリント基板を分離した状態の斜視図である。
【図５】同フロントカバーの裏面の斜視図である。
【図６】同電気機器におけるリアカバーの裏面の斜視図である。
【図７】同電気機器において圧入ボス部に圧入ピン部を圧入する状態の説明図である。
【図８】圧入前の圧入ボス部と圧入ピン部との相対関係の説明図である。
【図９】圧入後の圧入ボス部と圧入ピン部との相対関係の説明図である。
【図１０】従来の筐体本体を有する電気機器の分解状態の斜視図である。
【符号の説明】
【００５３】
Ａ      筐体本体
Ａ−１  脚部
Ｂ      照光レンズ部
Ｃ      外部接続コネクタ
１      フロントカバー
２      リアカバー
３      プリント基板
５      台座リブ（フロントカバー側プリント基板保持部）
７      位置決め用突起部（コネクタ位置決め部）
８Ａ    ねじボス部（プリント基板共締め用ボス部）
８Ｂ    ねじボス部
９      外部接続コネクタ用挿抜補強リブ（コネクタ位置決め部）
１１    圧入ボス部
１２    圧入ボス部
１３    圧入穴
１４    ボス側誘込み部
１７    ねじ挿入孔
１８    ねじ挿入孔（共締め用ねじ挿入孔）
２２    押えリブ（リアカバー側プリント基板保持部）
２３    押えリブ（リアカバー側プリント基板保持部）
２４    圧入ピン部
２５    圧入ピン部
２６    平坦面部（切欠き部）
２７    ピン側誘込み部
３０    固定用孔部
３１    位置決め用孔部
３５    共締め用ねじ部材
【図１】
2005203698.tif 000003
【図２】
2005203698.tif 000004
【図３】
2005203698.tif 000005
【図４】
2005203698.tif 000006
【図５】
2005203698.tif 000007
【図６】
2005203698.tif 000008
【図７】
2005203698.tif 000009
【図８】
2005203698.tif 000010
【図９】
2005203698.tif 000011
【図１０】
2005203698.tif 000012